(57)【要約】      （修正有）【課題】納骨口を開閉する際の扉石の移動に安定性があり、且つ、開閉操作が容易な立掛け式引き戸を備えた墓石を提供する。【解決手段】納骨口を開閉する引き戸を備える墓石であり、引き戸は納骨口を封じる扉石と扉石を移動させるための軌道表受け部とガイド部とを備え、扉石は脚部と、ガイド部を遊嵌可能な凹部を備え、納骨口を開放する際には、納骨口の前方に引き起こされた後に、軌道上をスライド移動可能なものであり、軌道表受け部は、ガイド部より脚部が収まるだけの距離を置いて前方に配置されると共に、扉石の底面が定着する平滑な第一支持面を有すると共に、扉石の軌道離脱防止手段として支持縁を有し、ガイド部は扉石を納骨口の前方に引き起こす方向に沿って、納骨口前方に向かって下台石の納骨口側の側面から延設し、扉石がスライド移動開始して納骨口の前から移動する際には、脚部が表受け部とガイド部の間に収められることを特徴とする墓石。【選択図】図２
2017002619.tif 000002
【特許請求の範囲】
【請求項１】
中台石に備えられた納骨室の開口部である納骨口を開閉する引き戸を備える、下台石と、中台石と、上台石と、竿石の四段式の構成からなる墓石であり、
前記納骨口の直下である前記下台石の前記納骨口側の側面には、前記納骨口の開口面と面一な凹み底面と前記納骨口の開口面より幅広な凹み幅とを有する凹部を備え、
前記引き戸は、前記納骨口を封じる扉石と、該扉石を下支えすると共に、前記納骨口を開放する際に前記扉石を移動させるための軌道として軌道表受け部とガイド部と、を備え、
前記扉石は、前記納骨口を封じる際には、前記納骨口を塞ぐ状態で立て掛けられるものであり、前記納骨口を開放する際には、前記納骨口の前方に引き起こされた後に、前記納骨口に対して略平行に軌道上をスライド移動可能なものであり、前記軌道上に定着する表踏底面と、前記納骨口の開口面より大きく、且つ、前記下台石の凹部の凹み幅より小さな面積を有する裏面と、該裏面の対向面である表傾斜面と、前記扉石を安定してスライド移動させるための脚部と、扉石が引き起こされる方向に沿って前記ガイド部を遊嵌可能な凹部と、を備え、
前記軌道表受け部は、前記ガイド部より前記脚部が収まるだけの距離を置いて前方に配置されると共に、前記納骨口下縁に沿って側方に延長するものであり、前記表踏底面が定着する平滑な第一支持面を有すると共に、前記扉石が軌道上から離脱するのを防止するための支持縁を有し、
前記ガイド部は、前記下台石の凹部に配置されるものであり、前記扉石が前記納骨口の前方に引き起される方向に沿って、前記納骨口前方に向かって下台石の納骨口側の側面から前記扉石がスライド移動開始する位置まで延設し、
前記扉石がスライド移動開始して納骨口の前から移動する際には、前記脚部が前記表受け部と前記ガイド部の間に収められることを特徴とする、墓石。
【発明の詳細な説明】
【技術分野】
【０００１】
本発明は、立掛け式引き戸を備える墓石に関するものである。
【背景技術】
【０００２】
従来、納骨室内への風雨や草や虫の侵入を防止し、開閉が容易な納骨時の便宜を図ると共に、扉石の倒伏によって手足を負傷する虞も除去し得る扉石を備えた墓石としては、本願出願人と同一出願人により、後記特許文献のような墓石が公開されている。
【０００３】
特許文献１では、納骨室の納骨口を開閉する引き戸を具備する墓石において、前記引き戸は、納骨口の前方下縁に沿って側方に延長する軌道と、当該軌道に沿って摺動自在に載置する扉石を備え、前記軌道は、扉石を下方より支持する表受け部を備え、前記表受け部は、扉石を起立可能に支持する水平面又は表側に下った傾斜面を備え、当該水平面又は傾斜面は、扉石の重心より上位に対して裏側に向かうモーメントを与える支持縁を備え、前記扉石は、前記表受け部の前記水平面又は傾斜面に定着する表踏面と、当該表踏面が前記支持縁に接しつつ水平面又は傾斜面から離隔する姿勢を保ちつつ前記支持縁上納骨口を封じる裏面を備え、前記扉石又は軌道に、前記水平面又は傾斜面に定着する表踏面を前記水平面又は傾斜面の上に留める軌道離脱防止手段を備えることを特徴とする墓石が公開されている。
【先行技術文献】
【特許文献】
【０００４】
【特許文献１】特開２０１３−１００６７８号公報
【発明の概要】
【発明が解決しようとする課題】
【０００５】
しかしながら、前記特許文献１で公開されるような墓石の構成では、扉石の移動方向にガイド等が備わっていないため、納骨口の開閉の際に移動させる扉石に不均等な力が伝わりやすく、扉石を納骨口に正常に立て掛け、又は引き起こすのが困難であり、場合によっては扉石が倒伏する可能性がある。さらに扉石が軌道上をスライド移動開始し、納骨口の前から移動する際にも、倒伏、あるいは、軌道上を離脱する可能性がある。また、扉石を移動させる際の安定性を考慮しようと扉石下部を拡大すると、扉石全体の質量が膨大になってしまう、つまり、納骨口を開閉する際の扉石の操作が難しいという点で、先願出願内容から更に進歩した技術を発明できる可能性、つまりは改善の余地があることが判明した。
【０００６】
本発明は上記実情を考慮したもので、その解決課題は、納骨口を開閉する際の扉石の移動に安定性があり、且つ、開閉操作が容易な立掛け式引き戸を備えた墓石を提供することである。
【課題を解決するための手段】
【０００７】
前記の課題を解決するための本発明は、中台石に備えられた納骨室の開口部である納骨口を開閉する引き戸を備える、下台石と、中台石と、上台石と、竿石の四段式の構成からなる墓石であり、前記納骨口の直下である前記下台石の前記納骨口側の側面には、前記納骨口の開口面と面一な凹み底面と前記納骨口の開口面より幅広な凹み幅とを有する凹部を備え、前記引き戸は、前記納骨口を封じる扉石と、該扉石を下支えすると共に、前記納骨口を開放する際に前記扉石を移動させるための軌道として軌道表受け部とガイド部と、を備え、前記扉石は、前記納骨口を封じる際には、前記納骨口を塞ぐ状態で立て掛けられるものであり、前記納骨口を開放する際には、前記納骨口の前方に引き起こされた後に、前記納骨口に対して略平行に軌道上をスライド移動可能なものであり、前記軌道上に定着する表踏底面と、前記納骨口の開口面より大きく、且つ、前記下台石の凹部の凹み幅より小さな面積を有する裏面と、該裏面の対向面である表傾斜面と、前記扉石を安定してスライド移動させるための脚部と、扉石が引き起こされる方向に沿って前記ガイド部を遊嵌可能な凹部と、を備え、前記軌道表受け部は、前記ガイド部より前記脚部が収まるだけの距離を置いて前方に配置されると共に、前記納骨口下縁に沿って側方に延長するものであり、前記表踏底面が定着する平滑な第一支持面を有すると共に、前記扉石が軌道上から離脱するのを防止するための支持縁を有し、前記ガイド部は、前記下台石の凹部に配置されるものであり、前記扉石が前記納骨口の前方に引き起される方向に沿って、前記納骨口前方に向かって下台石の納骨口側の側面から前記扉石がスライド移動開始する位置まで延設し、前記扉石がスライド移動開始して納骨口の前から移動する際には、前記脚部が前記表受け部と前記ガイド部の間に収められることを特徴とする。
【発明の効果】
【０００８】
本発明のように、扉石を移動させるための軌道として、従来からある軌道表受け部に加えて、扉石を納骨口の前方に引き起こす方向に沿って、脚部が収まるだけの距離を軌道表受け部との間に置いた状態でガイド部を備え、且つ、扉石に、そのガイド部を遊嵌する凹部を扉石が引き起こされる方向に沿って備えた場合、扉石を納骨口に立て掛け、又は引き起こす際に、扉石に不均等な力が加わっても倒伏しないだけの安定性を扉石に付与することが可能になる。また、扉石が軌道上をスライド移動開始し、納骨口の前から移動する際にも、扉石の脚部がガイド部と軌道表受け部の間、より詳しく述べるならば、扉石の脚部がガイド部の前方側部と軌道表受け部の支持縁の間に、収まった状態で移動可能なので、扉石は倒伏しないし、軌道上を離脱するようなこともなく、扉石の移動に、より一層の安定感が生まれる。なお、このような構成は、特に、防風壁等を納骨口の左右に備えるような場合に特に効果が高い。また、従来のものとは異なり、納骨口を開閉する際の扉石の移動に安定性を持たせるために扉石の重量を増したりする必要もないので、扉石の移動操作が容易となる。
【図面の簡単な説明】
【０００９】
【図１】（イ）、（ロ）図は、本発明の墓石における扉石と軌道表受け部と上台石を除いた斜視図と、扉石と上台石を除いた斜視図である。
【図２】（イ）、（ロ）図は、本発明の墓石における納骨口の開閉時の状態を示す斜視図であって、（イ）図は、扉石によって納骨口を封じた状態を示し、（ロ）図は、扉石を移動させ、納骨口を開放し、そこから更にスライド移動させた状態を示す斜視図である。
【図３】（イ）図は、本発明の墓石における扉石を示す斜視図、（ロ）図は、本発明の墓石における軌道表受け部を示す斜視図である。
【図４】（イ）、（ロ）図は、本発明の墓石における軌道表受け部の他の実施形態を示す斜視図であって、（イ）図は、正面側から見た斜視図、（ロ）図は、裏面側から見た斜視図である。
【図５】（イ）、（ロ）図は、本発明の墓石における納骨口を扉石によって封じる際の状態を示す概念図であって、（イ）図は、扉石上部付近の状態を示し、（ロ）図は、扉石下部付近の状態を示す概念図である。
【図６】（イ）、（ロ）図は、本発明の墓石における納骨口を扉石によって封じた状態から、扉石を手前側に引き起こし直立させた状態を示す概念図であって、（イ）図は、扉石上部付近の状態を示し、（ロ）図は、扉石下部付近の状態を示す概念図である。
【図７】（イ）、（ロ）図は、扉石を最大限まで手前側に引き起こした状態を示す概念図であって、（イ）図は、扉石上部付近の状態を示し、（ロ）図は、扉石下部付近の状態を示す概念図である。
【図８】（イ）、（ロ）図は、扉石を最大限まで手前側に引き起こした状態から、更に手前側に引いた状態を示す概念図であって、（イ）図は、扉石上部付近の状態を示し、（ロ）図は、扉石下部付近の状態を示す概念図である。
【図９】（イ）、（ロ）図は、図８に示す状態から押し戻し、扉石を直立させた状態を示す概念図であって、（イ）図は、扉石上部付近の状態を示し、（ロ）図は、扉石下部付近の状態を示す概念図である。
【図１０】（イ）、（ロ）図は、図９に示す状態から、扉石を更に手前側に引いて軌道上に載せた状態を示す概念図であって、（イ）図は、扉石上部付近の状態を示し、（ロ）図は、扉石下部付近の状態を示す概念図である。
【図１１】（イ）図は、本発明の墓石における扉石の他の実施形態を示す斜視図、（ロ）図は、（イ）図に示した扉石に対応する本発明の墓石における軌道表受け部の他の実施形態を示す斜視図である。
【発明を実施するための形態】
【００１０】
以下、本発明の実施の形態を図１から図１１を参照して詳細に説明する。尚、ここでは、納骨室３１、引き戸１５、及びそれらに関わる部位を構成するものの説明に留め、一般的に正面に家名、又は称名を彫りこまれると共に、裏面に建立者および建立年月日を、側面には仏様の戒名一式を彫りこまれる竿石等の図示、及び説明は省略する。
【００１１】
まず、本発明による墓石１０は、下台石１２と、中台石１３と、上台石１４と、図示しない竿石の、四段式の構造を採用するものであり、素材としては、自然石のみならず、墓石１０として求められる性状の面で、自然石と同一視できるもの、例えば、金属、木材、植物等でも問題ない。なお、下台石１２と、中台石１３と、上台石１４は、それぞれ分割し、組み合わせるものであってもよいし、それぞれが一体型として作製されたものでもよい。
【００１２】
そして、図１（イ）、（ロ）、図２（イ）、（ロ）等に示すように、本実施形態では、納骨室３１の開口部である納骨口３２の前方両側に防風壁３３を備えると共に、納骨口３２を開閉する引き戸１５を備える墓石１０である。
【００１３】
そして、納骨室３１は、耐震強度、耐久性を考慮し、その四方を中台石１３で囲むと共に、上下を上台石１４及び下台石１２で封じることによって構成されているものであって、正面には、当該納骨室３１の一方向を封じる中台石１３の一部を開放して形成した納骨口３２を有する。
【００１４】
尚、納骨口３２は、所謂くり抜き穴であって、この納骨口３２から遺骨等を納骨室３１内に収めることができるように、開口面積が調整されるものである。そして、納骨口３２を設けた中台石１３の一方向は、後述する扉石１６を立て掛け易いように、前方に向かって傾斜していることが望ましい。
【００１５】
そして、防風壁３３は、経年劣化によって、納骨室３１の納骨口３２側の外面と扉石１６の密着面が崩壊することを長期間に渡って防止するために、中台石１３の傾斜する一方向側に備えられた納骨室３１の開口部である納骨口３２の前方両側に沿うようにして設けられるものである。
【００１６】
そして、納骨口３２を開閉する際に後述する扉石１６を移動させる距離を短くするために、防風壁３３の形状は、略逆三角形形状であることが望ましい。
【００１７】
尚、図１（イ）等に示す本実施形態における防風壁３３は、直角三角形に近似する形状をなしており、その斜辺を納骨口３２に設けた中台石１３の傾斜する一方向に固着させると共に、隣辺を墓石１０の前方側に向け、なお且つ、対辺を中台石１３の上面と面一になるように設けられている。そして、防風壁３３の底面、言い換えるならば、逆三角形形状の防風壁３３の最も鋭角な部位は、下台石１２の上面に固着している。なお、この防風壁３３は、中台石１３と一体成形されるものではなく、中台石１３に容易に着脱自在なものであってもよい。
【００１８】
そして、下台石１２は、図１、２に示すように、納骨口３２の直下である、納骨口３２側の側面には、納骨口３２の開口面と面一な凹み底面と納骨口３２の開口面より幅広な凹み幅とを有する凹部２１を備えている。
【００１９】
そして、上台石１４は、図２に示すように、中台石１３の上端より充分大きな底面積を備え、中台石１３上に配置された際には、周縁部がひさしのように突出するものであることが望ましい。
【００２０】
そして、前記した引き戸１５は、納骨口３２を封じる扉石１６と、扉石１６を下支えすると共に、納骨口３２を開放する際に扉石１６を移動させるための軌道１７として軌道表受け部１７ａとガイド部１７ｂと、を備えている。
【００２１】
扉石１６は、図３（イ）に示すように、日本刀でいう片刃の反りのない短刀形状に近似した形状、後述する脚部６５を除けば、全体形状は、ノミ状、彫刻刀でいう平刀形状をなす。そして、納骨口３２の開閉時における扉石１６の倒伏防止や、操作のし易さを考慮するならば、扉石１６はその下部に重心を置くことが望ましく、その際には下部に比較して上部を充分に薄肉とする構造をとるものであることが望ましい。
【００２２】
尚、扉石１６は、幅方向へ複数に分割した形態を採用してもよいが、分割部から風雨が侵入しないように、分割した扉石１６同士の接合部に傾斜を設けることや、凹凸等による嵌合面を設けることが望ましい。
【００２３】
そして、扉石１６は、図２（イ）、図５（イ）、（ロ）に示すように、納骨口３２を封じる際には、納骨口３２を塞ぐように立て掛けられるものであり、納骨口３２を開放する際には、図２（ロ）に示すように、納骨口３２の前方に引き起こされた後に、納骨口３２に対して略平行に軌道１７上をスライド移動、言い換えるならば摺動可能なものである。
【００２４】
そして、扉石１６は、表踏底面６４と、裏面６７と、表傾斜面６１と、上部傾斜面６２と、使用者の指が係る把持部６８を備える側面６３と、脚部６５と、凹部６６を備える。
【００２５】
表踏底面６４は、軌道１７上、より詳しくは軌道表受け部１７ａに接する平滑面であって、扉石１６の底面前方側を構成するものである。
【００２６】
裏面６７は、扉石１６の裏側、言い換えるならば、納骨口３２側の平滑面である。そして、納骨口３２を封じる際には、裏面６７の周縁部が、納骨口３２の周縁部に接するため、裏面６７は、納骨口３２の開口面を覆うことが可能、言い換えるならば納骨口３２の開口面より大きく、且つ、下台石１２の凹部２１の凹み幅より小さな面積を備えている。
【００２７】
表傾斜面６１は、前記した裏面６７の対向面であり、且つ、表側、言い換えるならば、中台石１３の傾斜する一方向側に設けられた納骨口３２の前方に向かって傾斜する面である。
【００２８】
上部傾斜面６２は、扉石１６の上面に相当する面であって、中台石１３の傾斜する一方向側に設けられた納骨口３２の前方に向かって傾斜する面であり、前記した表傾斜面６１よりも鈍角に傾斜するものである。
【００２９】
脚部６５は、扉石１６の下部に突出する部位であって、図３（イ）に示す実施形態では、扉石１６の裏面６７と面一な一側面を備える。そして、この脚部６５は、扉石１６を移動する際に使用されるものであって、軌道１７上を扉石１６が移動する際の文字通り脚となると共に、扉石１６を引き起こす際には、下台石１２、又は中台石１３に突き当たり、扉石１６全体を前方側に押し出す役割をこなすものである。尚、図２、図３、図５乃至図１０で示す実施形態では、脚部６５は、前記したように裏面６７と面一な一側面を有すると共に、前記した表踏底面６４と平行な底面を有し、且つ、表踏底面６４と交わる箇所では９０度以上の広角をもって交わるものとなっている。
【００３０】
凹部６６は、脚部６５間に設けられるものであって、裏面６７から表傾斜面６１に向かって、言い換えるならば扉石１６が引き起こされる方向に沿って、後述するガイド部１７ｂを遊嵌可能なように設けられるものである。尚、この凹部６６は、図３（イ）では二か所に設けられているが、これは後述するガイド部１７ｂが実施例を示す図中では二つ存在するからであり、この二か所に設けられた凹部６６は、脚部６５間に等間隔で設けられている。
【００３１】
軌道表受け部１７ａは、図１、２に示すように、後述するガイド部１７ｂより前方に備えられるものであって、ガイド部１７ｂより前記脚部６５が収まるだけの距離を置いて配置され、その配置位置をあらかじめ固定されているものである。そして、納骨口３２下縁に沿って側方に延長する、横長な略四角柱形状、より詳しく述べるならば、扉石１６が移動する部位に切り欠きを有する四角柱形状をなすものである。
【００３２】
そして、図３（ロ）に示す実施形態では、扉石１６の表踏底面６４が定着する平滑な第一支持面７１と、その第一支持面７１より下位に位置し、且つ、納骨口３２側に段差ができるように備えられた、第二支持面７３と、を有すると共に、扉石１６が軌道１７上から離脱するのを防止するための角、支持縁７２を有している。
【００３３】
そして、前記した第二支持面７３は、納骨口３２を開放する際には扉石１６の脚部６５と接する、より詳しくは脚部６５の底面と接することが可能なものであり、図１乃至図１０で示す実施形態では、第一支持面７１と第二支持面７３の高さの差異は、前記した扉石１６の脚部６５の底面から、表踏底面６４までの高さ方向の長さに略等しい。
【００３４】
尚、上記軌道表受け部１７ａは、図４（イ）、（ロ）に示すように、中台石１３の前方に拡張し、更にその拡張した部分に、花立て１００や線香立て２００等を載置できるよう凹部７４を複数備えるような構成にしてもよい。このように、軌道表受け部１７ａを複機能化するような構成にすることによって、墓石１０の敷地を有効活用すると共に、場合によっては墓石１０の前方に備えられている花立て１００を引き戸１５の開閉作業の度に移動させる手間等を省くことが可能となる。
【００３５】
ガイド部１７ｂは、図１（イ）、（ロ）に示すように、扉石１６を納骨口３２の前方に引き起こす方向に沿って、納骨口３２の前方に延設される、より詳しくは、上記した下台石１２の凹部２１に配置されるものであり、扉石１６が納骨口３２の前方に引き起される方向に沿って、納骨口３２前方に向かって下台石１２の納骨口３２側の側面から扉石１６がスライド移動開始する位置まで延設されるものである。
【００３６】
そして、図１、２、図４乃至図１０に示す実施形態では、ガイド部１７ｂは、扉石１６を引き起こす際に、扉石１６が不均等に起き上がることを防ぐために、また、扉石１６が軌道１７上をスライド移動開始して納骨口３２の前から移動する際に、扉石１６の倒伏と、軌道１７上からの離脱を防ぐために、本実施例では左右に均等な間隔で二か所に設けられており、図１に示すように、納骨口３２の横幅と同等、若しくはそれよりも大きな間隔で配置されている。そして、形状としては、略四角柱状をなすものであり、図に示す実施形態では高さ方向に縦長な形状をなしている。
【００３７】
尚、二か所に設けられたガイド部１７ｂ、１７ｂは、上面が平滑、且つ、水平に設けられると共に、扉石１６が引き起こされる方向に沿って平行な側面をそれぞれ有するものである。そして、扉石１６の凹部６６、６６にそれぞれ遊嵌自在なものであって、納骨口３２を開閉する際に、扉石１６が倒伏したり、軌道１７上から離脱したりしないような構造、例えば、ガイド部１７ｂの上部両側に突出する、図示しない引っかけ部をそれぞれ備えることで、扉石１６を過度に引き起こし手前側に倒伏することを防ぐ構造等を備えていてもよい。
【００３８】
以上のような構成の墓石１０は、以下のようにして使用する。まず、墓石１０の納骨室３１の納骨口３２を閉鎖する際には、図２（イ）、図５（イ）、（ロ）に示すように、扉石１６を中台石１３の一方向、納骨口３２を設けた傾斜面側に立掛ける。尚、この際には、扉石１６の表踏底面６４は、前方の軌道１７、より詳しくは軌道表受け部１７ａの支持縁７２に接し、且つ、ガイド部１７ｂは扉石１６の脚部６５間に設けられた凹部６６に収められている。
【００３９】
次に、墓石１０の納骨室３１の納骨口３２を開放する際には、まず、扉石１６の把持部６８に指を掛け、図６（イ）、（ロ）に示すように、墓石１０の手前側に扉石１６を引き起こし、扉石１６の表踏底面６４を、前方の軌道１７、より詳しくは軌道表受け部１７ａの第一支持面７１上に載置し、扉石１６を直立状態にする。
【００４０】
次に、図７（イ）、（ロ）に示すように、扉石１６を更に墓石１０の手前に引き、前のめり状態になるまで引き起こす。尚、図６（イ）、（ロ）、図７（イ）、（ロ）に示す状態は、扉石１６が、第一支持面７１に接する、表傾斜面６１と表踏底面６４との境界、言い換えるならば、表傾斜面６１と表踏底面６４がなす角に相当する部分を軸に、回転するように引き起こされる状態を示している。そして、この回転の際には、脚部６５が下台石１２、又は中台石１３の傾斜面に接しつつ回転するため、第一支持面７１に接する固定されていない軸（表傾斜面６１と表踏底面６４がなす角に相当する部分）は、第一支持面７１上の前方側に移動していく、言い換えるならば、扉石１６は、引き起こされる過程で、徐々に前方側に移動する。なお、この際に、図７（イ）に示すように、扉石１６の高さを任意の高さに調節し、扉石１６がある程度前のめりに引き起こされた時に上台石１４の底面に、上部傾斜面６２と裏面６７がなす角が接するようにすれば、扉石１６が過度に引き起こされて倒伏することを防止することも可能である。
【００４１】
次に、図８（イ）、（ロ）に示すように、前記の状態を保ちつつ、扉石１６を墓石１０の前方に引き、場合によってはその後、図９（イ）、（ロ）に示すように、扉石１６を直立状態に戻す。なお、図８（イ）、（ロ）に示すような扉石１６の姿勢は、上台石１４と軌道表受け部１７ａにその上下端が接することで比較的容易に保つことが可能となるため、そのような状態になるよう、扉石１６のサイズと、上台石１４の底面の位置をあらかじめ調整してもよい。
【００４２】
次に、軌道１７の軌道表受け部１７ａにおける第一支持面７１に扉石１６の表踏底面６４を定着すると共に、脚部６５を第二支持面７３に定着させ、障子の襖のように側方へ扉石１６を移動させて納骨口３２を開放し、遺骨等を納骨室３１内に収めることが可能な状態にする。なお、扉石１６が軌道１７上をスライド移動開始して納骨口３２の前から移動する際には、扉石１６の脚部６５が、ガイド部１７ｂと支持縁７２の間に挟まれている、より詳しく述べるならば、扉石１６の脚部６５がガイド部１７ｂの前方側部と軌道表受け部１７aの支持縁７２の間に、収まった状態なので、扉石１６は倒伏しないし、軌道１７上を離脱するようなこともない。なお、図２（ロ）は、そこからさらに扉石１６をスライド移動させ、扉石１６の脚部６５は下台石１２の側面と支持縁７２の間に挟まれている状態を示すものである。
【００４３】
本発明の墓石１０は、上記実施形態に限定されるものではなく、その趣旨を逸脱しない範囲において適宜変更可能である。例えば、図１１（イ）に示すように、扉石１６にガイド踏面６９を設け、言い換えるならば、脚部６５を裏面６７よりわずかに前方に設け、ガイド部１７ｂの上面を扉石１６が障子の襖のように側方へ移動するようにしてもよく、その場合は、図１１（ロ）に示すように、軌道表受け部１７ａに段差を設けない、言い換えるならば、第二支持面７３を設けない構成でも問題ない。また、上記実施形態では、ガイド部１７ｂを二つ設ける構成が示されているが、一つ以上であればいくつ備えていても問題ない。
【符号の説明】
【００４４】
１０    墓石
１２    下台石
１３    中台石
１４    上台石
１５    引き戸
１６    扉石
１７    軌道
１７ａ  軌道表受け部
１７ｂ  ガイド部
２１    凹部
３１    納骨室
３２    納骨口
３３    防風壁
６１    表傾斜面
６２    上部傾斜面
６３    側面
６４    表踏底面
６５    脚部
６６    凹部
６７    裏面
６８    把持部
６９    ガイド踏面
７１    第一支持面
７２    支持縁
７３    第二支持面
７４    凹部
１００  花立て
２００  線香立て
【図１】
2017002619.tif 000003
【図２】
2017002619.tif 000004
【図３】
2017002619.tif 000005
【図４】
2017002619.tif 000006
【図５】
2017002619.tif 000007
【図６】
2017002619.tif 000008
【図７】
2017002619.tif 000009
【図８】
2017002619.tif 000010
【図９】
2017002619.tif 000011
【図１０】
2017002619.tif 000012
【図１１】
2017002619.tif 000013